(57)【要約】      （修正有）【課題】言葉（見出し語）の意味を説明する説明文を検索して自分の欲しい言葉を引く検索方法及び装置において、関係のない言葉を引いてしまう可能性を低くする。【解決手段】検索のためのキーワードを入力する入力行程と、この入力されたキーワードに一致する見出し語を検索する検索行程と、この検索された見出し語の類義語を新たにキーワードとして一致する見出し語を検索する類義語検索行程と、前記検索行程及び前記類義語検索行程で検索された見出し語、見出し語の意味説明を出力する出力行程と、を有する。あるいは、見出し語の類義語を新たにキーワードとして一致する見出し語を検索するかわりに、見出し語の類義語を新たにキーワードとして一致する類義語を有する見出し語を検索する。また、キーワードの品詞を変換した品詞変換語を新たにキーワードとして前記意味説明中に含む第２見出し語を検索する。【選択図】図１
2005222188.tif 000002
【特許請求の範囲】
【請求項１】
見出し語、見出し語の意味説明、及び見出し語の類義語を有してなるデーターベースの検索を行う方法において、検索のためのキーワードを入力する入力行程と、この入力されたキーワードに一致する第１見出し語を検索する検索行程と、この検索された第１見出し語の類義語を新たにキーワードとして一致する第２見出し語を検索する類義語検索行程と、前記検索行程及び前記類義語検索行程で検索された第１及び第２の見出し語、見出し語の意味説明を出力する出力行程と、を有することを特徴とする辞書またはインターネットの検索方法。
【請求項２】
見出し語、見出し語の意味説明、及び見出し語の類義語を有してなるデーターベースと、検索のためのキーワードを入力する入力処理手段と、この入力されたキーワードに一致する第１見出し語を検索する検索処理部と、この検索された第１見出し語の類義語を検索する類義語検索処理部と、この類義語を新たにキーワードとして一致する第２見出し語を検索する類義語検索処理部と、前記検索処理部及び前記類義語検索処理部で検索された第１及び第２の見出し語、見出し語の意味説明を出力する出力処理部と、を有することを特徴とする辞書またはインターネットの検索装置。
【請求項３】
見出し語、見出し語の意味説明、及び見出し語の類義語を有してなるデーターベースの検索を行う方法において、検索のためのキーワードを入力する入力行程と、この入力されたキーワードに一致する第１見出し語を検索する検索行程と、この検索された見出し語の類義語を新たにキーワードとして一致する類義語を有する第２見出し語を検索する類義語検索行程と、前記検索行程及び前記類義語検索行程で検索された第１及び第２の見出し語、見出し語の意味説明を出力する出力行程と、を有することを特徴とする辞書またはインターネットの検索方法。
【請求項４】
見出し語、見出し語の意味説明、及び見出し語の類義語を有してなるデーターベースと、検索のためのキーワードを入力する入力処理手段と、この入力されたキーワードに一致する第１見出し語を検索する検索処理部と、この検索された第１見出し語の類義語を検索する類義語検索処理部と、この類義語を新たにキーワードとして一致する類義語を有する第２見出し語を検索する類義語検索処理部と、前記検索処理部及び前記類義語検索処理部で検索された第１及び第２の見出し語、見出し語の意味説明を出力する出力処理部と、を有することを特徴とする辞書またはインターネットの検索装置。
【請求項５】
見出し語、及び見出し語の意味説明を有してなるデーターベースの検索を行う方法において、検索のためのキーワードを入力する入力行程と、この入力されたキーワードを前記意味説明中に含む第１見出し語を検索する検索行程と、このキーワードの品詞を変換した品詞変換語を新たにキーワードとして前記意味説明中に含む第２見出し語を検索する品詞変換語検索行程と、前記検索行程及び前記品詞変換語検索行程で検索された第１及び第２の見出し語、見出し語の意味説明を出力する出力行程と、を有することを特徴とする辞書またはインターネットの検索方法。
【請求項６】
見出し語、及び見出し語の意味説明を有してなるデーターベースと、検索のためのキーワードを入力する入力処理手段と、この入力されたキーワードを前記意味説明中に含む第１見出し語を検索する検索処理部と、このキーワードの品詞を変換する品詞変換処理部と、この品詞変換語を新たにキーワードとして前記意味説明中に含む第２見出し語を検索する品詞変換語検索処理部と、前記検索処理部及び前記品詞変換語検索処理部で検索された第１及び第２見出し語、見出し語の意味説明を出力する出力処理部と、を有することを特徴とする辞書またはインターネットの検索装置。
【発明の詳細な説明】
【技術分野】
【０００１】
この発明は、データーベースの検索の方法及び装置に関する。
【背景技術】
【０００２】
例えば、小説や作文を書きたいが、言葉をあまり知らない場合には、辞書データーベースを検索して、自分の欲しい言葉が見つかると便利である。つまり言葉の説明文の内容を検索してその言葉を見つけることができれば便利である。このような検索方法の需要は、ほかにも、例えば、ありきたりの表現で文章を作りたくない場合、作成した文章が単純なので難しい言葉におきかえたい場合、適切な表現の言葉が出てこない場合、あまり、学力、語い力が無くていつも伝えたいことを言葉にできない場合、知っている言葉をど忘れした場合、などにも存在する。
【０００３】
このような需要に少し対応できるものとして、現在ＷＥＢ等の検索で利用されている「全文検索」または「説明文検索」と呼ばれる検索方法がある。この検索方法によれば、言葉（見出し語）と、この言葉の意味を説明する説明文の組が多数データーベースに蓄積されており、検索者は、自分の欲しい言葉をやや表現するキーワードを入力し、このキーワードを含む説明文を有する言葉（見出し語）を見つけることができる。
【発明の開示】
【発明が解決しようとする課題】
【０００４】
しかしながら、以上の技術によれば、説明文には数多くの用語が存在し、その数多くの用語の中にキーワードが存在しても、関係の無い説明文であることが多く、よって関係の無い説明文を検索して引いてしまい、従って関係のない言葉（見出し語）を引いてしまう。
【０００５】
そこで、この発明は、言葉（見出し語）の意味を説明する説明文を検索して自分の欲しい言葉を引く検索方法及び装置において、関係のない言葉を引いてしまう可能性を低くできる検索方法及び装置を提供することを課題とする。
【課題を解決するための手段】
【０００６】
以上の課題を解決するために、第一発明は、見出し語、見出し語の意味説明、及び見出し語の類義語を有してなるデーターベースの検索を行う方法において、検索のためのキーワードを入力する入力行程と、この入力されたキーワードに一致する第１見出し語を検索する検索行程と、この検索された第１見出し語の類義語を新たにキーワードとして一致する第２見出し語を検索する類義語検索行程と、前記検索行程及び前記類義語検索行程で検索された第１及び第２の見出し語、見出し語の意味説明を出力する出力行程と、を有することを特徴とする辞書またはインターネットの検索方法である。
第二発明は、見出し語、見出し語の意味説明、及び見出し語の類義語を有してなるデーターベースと、検索のためのキーワードを入力する入力処理手段と、この入力されたキーワードに一致する第１見出し語を検索する検索処理部と、この検索された第１見出し語の類義語を検索する類義語検索処理部と、この類義語を新たにキーワードとして一致する第２見出し語を検索する類義語検索処理部と、前記検索処理部及び前記類義語検索処理部で検索された第１及び第２の見出し語、見出し語の意味説明を出力する出力処理部と、を有することを特徴とする辞書またはインターネットの検索装置である。
第三発明は、見出し語、見出し語の意味説明、及び見出し語の類義語を有してなるデーターベースの検索を行う方法において、検索のためのキーワードを入力する入力行程と、この入力されたキーワードに一致する第１見出し語を検索する検索行程と、この検索された見出し語の類義語を新たにキーワードとして一致する類義語を有する第２見出し語を検索する類義語検索行程と、前記検索行程及び前記類義語検索行程で検索された第１及び第２の見出し語、見出し語の意味説明を出力する出力行程と、を有することを特徴とする辞書またはインターネットの検索方法である。
第四発明は、見出し語、見出し語の意味説明、及び見出し語の類義語を有してなるデーターベースと、検索のためのキーワードを入力する入力処理手段と、この入力されたキーワードに一致する第１見出し語を検索する検索処理部と、この検索された第１見出し語の類義語を検索する類義語検索処理部と、この類義語を新たにキーワードとして一致する類義語を有する第２見出し語を検索する類義語検索処理部と、前記検索処理部及び前記類義語検索処理部で検索された第１及び第２の見出し語、見出し語の意味説明を出力する出力処理部と、を有することを特徴とする辞書またはインターネットの検索装置である。
第五発明は、見出し語、及び見出し語の意味説明を有してなるデーターベースの検索を行う方法において、検索のためのキーワードを入力する入力行程と、この入力されたキーワードに一致する第１見出し語を検索する検索行程と、このキーワードの品詞を変換した品詞変換語を新たにキーワードとして一致する第２見出し語を検索する品詞変換語検索行程と、前記検索行程及び前記品詞変換語検索行程で検索された第１及び第２の見出し語、見出し語の意味説明を出力する出力行程と、を有することを特徴とする辞書またはインターネットの検索方法である。
第六発明は、見出し語、及び見出し語の意味説明を有してなるデーターベースと、検索のためのキーワードを入力する入力処理手段と、この入力されたキーワードに一致する第１見出し語を検索する検索処理部と、このキーワードの品詞を変換する品詞変換処理部と、この品詞変換語を新たにキーワードとして一致する第２見出し語を検索する品詞変換語検索処理部と、前記検索処理部及び前記品詞変換語検索処理部で検索された第１及び第２見出し語、見出し語の意味説明を出力する出力処理部と、を有することを特徴とする辞書またはインターネットの検索装置である。
【発明の効果】
【０００７】
第一、第二、第三、又は第四発明によれば、見出し語（言葉）の説明文の中に存在する類義語を検索に利用することで、関係のない言葉を引いてしまう可能性を低くできる。
すなわち、データーベースの中に蓄積される見出し語の説明文の中には、類義語が含まれることが一般であるが、この類義語は、説明文の中に存在する通常の用語よりも意味の上で見出し語と近い関係があるので、第一、第二発明のように、類義語を新たにキーワードとして一致する第２見出し語を検索することで、この検索した第２見出し語の意味説明により、第２見出し語のさらに正確な意味が判明し、自分の欲しい言葉（第２見出し語）であったか否かが判明するとともに、関係のない言葉を引いてしまう可能性を低くでき検索効率を高めることができる。
【０００８】
また、第三、第四発明のように、類義語を新たにキーワードとして一致する類義語を有する第２見出し語を検索することで、この検索した第２見出し語は、始めの検索（辞書検索）でキーワードに一致した第１見出し語と、意味の上で近い関係にあることが期待できるとともに、関係のない言葉を引いてしまう可能性を低くでき検索効率を高めることができる。
【０００９】
また、第五、第六発明のように、キーワードの品詞を変換した品詞変換語を新たにキーワードとして検索に利用することで、関係のない言葉を引いてしまう可能性を低くできる。
すなわち、データーベースの中に蓄積される見出し語の説明文の中には、キーワードと同一の語を含む見出し語（第１見出し語）が存在する場合のみならず、キーワードと品詞のみが異なる語を含む見出し語（第２見出し語）が存在する場合がある。当初のキーワードのみならず、このキーワードを品詞変換した品詞変換語を新たにキーワードととすることで、第１見出し語のみならず第２見出し語も検索できる。キーワードと、このキーワードを品詞変換した品詞変換語とは、意味の上で非常に近い関係にあり、したがって関係のない言葉を検索して引いてしまう可能性を低くでき検索効率を高めることができる。
【発明を実施するための最良の形態】
【００１０】
（第１実施形態）
この発明の第１実施形態を、図１、図２、図３Ａ〜図３Ｃに示す。
このうち図３Ａ〜図３Ｃ、及び図４で辞書データーベースの一例として示している見出し語（言葉）の意味説明としての「言葉の意味」「用例・作例」の内容は三省堂の新解明国語辞典第5版を参考している。
【００１１】
（１）「見出し語」入力処理部１は検索するキーワード（以後「見出し語」と表現する）を画面より入力する（Ｓ１）。このときの画面は、図３Ａ（１）のようになる。
【００１２】
（２）検索処理部２は入力された第１「見出し語」で辞書データベース６の検索を行う（Ｓ２）。該当の「見出し語」がヒットしない場合（Ｓ３）は「見出し語」入力処理部１（Ｓ１）に戻る。
【００１３】
（３）類義語検索処理部３は該当の第１「見出し語」がヒットした場合（Ｓ３）、その見出し語の意味説明である「言葉の意味」「用例・作例」を読み込んで確保する（Ｓ４）。このときのイメージ画面は、図３Ａ（２）のようになる。その中の「用例・作例」部分から「見出し語」に関係する違った表現の言葉（以後「類義語」と表現する）を検索し抽出する（Ｓ５）。抽出条件は「用例・作例」の中にあるきっこうカッコ〔＝＊＊＊〕を検索することで行う。もっとも、他の辞書データーベースできっこうカッコ〔＝＊＊＊〕以外に他の記号が類義語に使用されているときは、その使用されている記号を抽出条件にできる。類義語が検索されなかった場合（Ｓ６）は、「見出し語」だけの「言葉の意味」を持って出力処理部５に行き表示する。
【００１４】
（４）類義語検索処理部４は類義語が検索された場合（Ｓ６）に、類義語を確保する（Ｓ７）。この確保した類義語で辞書データベース６の検索を行う（Ｎ７）。確保された類義語の個数がＮ個であれば、Ｎ回検索する（Ｓ８、Ｓ９）。繰り返し処理終了後（Ｓ９）、類義語と一致する第２見出し語の「言葉の意味」をＮ回確保する（Ｓ１０，Ｓ１１）。このときのイメージ画面は、図３Ｂのようになる。出力処理に渡す。
【００１５】
（５）出力処理部５は処理された「見出し語」と「類義語」の「言葉の意味」を出力処理部５で画面に出力する（Ｓ１２）。このときのイメージ画面は、図３Ｃのようになる。
【００１６】
次に図３Ａ〜図３Ｃの説明を行う。
図３Ａにおいて、（１）キーワードとして入力される「見出し語」は「仕掛け人」であり、（２）この検索がヒットし、意味説明の中の言葉の意味として「その領域での動向をリ―ドする人〔大衆文芸では、俗に江戸時代の殺し屋を指すこともある〕」となり、意味説明の中の用例・作例として「戦後の大衆ジャーナリズムの―の歩みを戦前からたどる文化の―、地価高騰の―〔＝張本人〕、成人病の―〔＝根源〕である動脈硬化・高血圧を防ぐ、科学博の―〔＝主催者〕」となる。
【００１７】
（３）類義語検索処理として、意味説明の「用例・作例」の中にある類義語として、きっこうカッコ〔＝＊＊＊〕の中を検索する。この場合〔＝張本人〕〔＝根源〕〔＝主催者〕が、「仕掛け人」という言葉の類義語となる。  図３Ｂにおいて（４）類義語検索処理は、「張本人」「根源」「主催者」を検索キーワードとして各々、辞書データベース６の検索を行い、その結果が確保される。
【００１８】
「張本人」の意味説明として「ちょうほんにん（チヤウホンニン）1  そもそも その事件の起こるもとを作った人。 2  首謀者。 3  賊の首領。かしら。」となり、 
「根源」の意味説明として「こんげん  その物事を成り立たせている一番のおおもと。―的な意味  政治腐敗の―を断つ」となる。
【００１９】
「主催者」の意味説明として「 しゅさい  ―する  中心（責任者）となって、会などを催すこと。大会の―者」となる。
図３Ｂにおいて（５）出力処理は、最初の見出し語「仕掛け人」の意味説明（図３Ａ（２））と、類義語の「張本人」「根源」「主催者」の意味説明（図３Ｂ）とを並べて出力する。
【００２０】
「他の実施形態」
以上の実施形態では、「仕掛け人」という言葉について検索を行うものでたが、図４に示すように、他の言葉でも、ほとんどが意味説明の中に類義語が含まれるので、同様の検索が可能である。
【００２１】
すなわち、「仕掛け人」のほかの言葉でも、例えば「いかがわしい」という言葉の類義語には〔＝風紀上よくない〕〔＝わいせつな〕〔＝怪しげな〕〔＝わいせつな〕があり、これらについて類義語検索を行うことができる。
同様に「ちょっとした」という言葉の類義語には〔＝つまらない〕〔＝ごく軽い〕〔＝格別珍しくない〕〔＝何げない〕〔＝何げない〕〔＝趣きが変わっている〕〔＝一応いける〕〔＝かなりの〕〔＝相当〕があり、これらについて類義語検索を行うことができる。
【００２２】
同様に「しか」という言葉の類義語には〔＝そうではない〕〔＝それならば〕〔＝そういうわけで〕〔＝そうではあるが〕〔＝同様である〕〔＝そればかりではなく〕があり、これらについて類義語検索を行うことができる。
【００２３】
また、以上の実施形態の概念をまとめると図５のようになり、検索に用いた見出し語（キーワード）と一致する見出し語の意味説明文中にある類義語を新たにキーワードとして、一致する第２見出し語を検索する（図５では２つがヒットしている）ものであった。
しかし、図６に示すように類義語を新たにキーワードとして、一致する類義語を有する第２見出し語を検索することもできる。すなわち、検索に用いた見出し語（キーワード）と一致する見出し語の意味説明文中にある類義語を新たにキーワードとして、他の見出し語であって、意味説明文中に一致する類義語を有する第２見出し語を検索する（図５では２つがヒットしている）ことができる。
【００２４】
この検索した第２見出し語は、始めの検索（辞書検索）でキーワードに一致した第１見出し語と、共通の類義語を有するので、意味の上で近い関係にあることが期待できる。また、関係のない言葉を引いてしまう可能性を低くでき検索効率を高めることができる。
【００２５】
（第２実施形態）
この発明の第２実施形態を、図７〜図９に示す。
【００２６】
（１）図７の「キーワード」入力処理部２１は検索するキーワードを画面より入力する（図８のＳ１）。このときの画面は、図９Ａの（１）のようになる。
【００２７】
（２）検索処理部２２は入力された第１「キーワード」で辞書データベース２６の意味説明文の検索を行う（Ｓ２）。意味説明文中に該当の「キーワード」を含むような見出し語がヒットしない場合（Ｓ３）は「キーワード」入力処理部１（Ｓ１）に戻る。第１「キーワード」がヒットした場合（Ｓ３）、その見出し語の意味説明である「言葉の意味」「用例・作例」を読み込んで確保する（Ｓ４）。このときのイメージ画面は、図９Ａの（２）のようになる。
【００２８】
（３）また、品詞変換処理部２３は、第１「キーワード」の品詞を変換した品詞変換語が存在するか否かを検索し（Ｓ５）、検索されなかった場合（Ｓ６）は、、第１「キーワード」だけの「言葉の意味」を持って出力処理部５に行き表示する。
【００２９】
（４）品詞変換語検索処理部２４は、品詞変換語が検索された場合（Ｓ６）に、品詞変換語を確保する（Ｓ７）。このときのイメージ画面は、図９Ａの（３）のようになる。そして、この確保した品詞変換語を第２キーワードとしてで辞書データベース６の検索を行う（Ｎ７）。確保された品詞変換語の個数がＮ個であれば、Ｎ回検索する（Ｓ８、Ｓ９）。繰り返し処理終了後（Ｓ９）、品詞変換語と一致する語を意味説明文中に含む第２見出し語がヒットしたら、この第２見出し語の「言葉の意味」を確保する（Ｓ１０，Ｓ１１）。このときのイメージ画面は、図９Ａの（４）のようになる。出力処理部２５に渡す。
【００３０】
（５）出力処理部２５は処理された「見出し語」と「言葉の意味（意味説明文）」をで画面に出力する（Ｓ１２）。このときのイメージ画面は、図９のＢのようになる。
【００３１】
次に図９Ａ〜図９Ｂの説明を行う。
例えば、適切な表現の言葉として「湯たんぽ」という語を失念しうまく出てこない時に、図９Ａにおいて、（１）キーワードとして入力される語は、「あたためる」であり、（２）この検索がヒットし、見出し語が「カイロ」となり、言葉の意味説明文として「ふところなどに入れ体をあたためる、携帯用の用具」となる。この「カイロ」はさがしていた言葉ではない。
【００３２】
（３）次に、品詞変換処理部２３で、第１キーワードの「あたためる」は、品詞変換されるものがあるかどうかが検索され、その結果、第２キーワードとしての「あたためた」や「あたたかく」に変換される。
（４）品詞変換語検索処理部で、「あたためた」や「あたたかく」を第２キーワードとして各々、辞書データベース６の検索を行う。
【００３３】
その結果、「あたためた」を第２キーワードとしての検索がヒットし、見出し語が「温水」となり、言葉の意味説明文として「あたためた水」となる。また、「あたたかく」を第２キーワードとしての検索がヒットし、見出し語が「湯たんぽ」となり、言葉の意味説明文として「布団の中や足腰をあたためるための、中に湯を入れた容器」となる。これが、さがしていた言葉である。これらの見出し語や意味説明文が確保される。
そして、図９Ｂにおいて（５）出力処理部２５で、（２）と（４）における検索結果を並べて出力する。
（他の実施形態）
以上の実施形態では、辞書データベースのの検索方法及び装置として説明したが、他の実施形態では、インターネット上のデータベースや、インターネット自体をデータベースとしたウエブの検索にも、実施が可能である。そのような実施形態における効果として以下のものが上げられる。
効果１ 品詞変換は様々な検索機能で、品詞変換語のキーワードも検索出来るようにすることにより目的のキーワードを先に表示して、関係のないキーワードを後にする、表示結果の順序のメリットがある。例えば、安い とゆう字なら 安く 安かった 安くて などの品詞変換されたものを先に表示し、安藤、安全など関係のない言葉を後に表示するようにできるようになる。
効果２ パソコンや携帯などのボタンによる入力の際に、語幹を入力しただけで品詞などが自動表示されて、語幹入力後はある程度カーソルキーのみで文章が構成がしていけるので、楽とゆうメリットと、手や指が不自由な人にも利便性がある。
【図面の簡単な説明】
【００３４】
【図１】この発明の第１実施形態を示すブロック図である。
【図２】図１のフローチャート図である。
【図３Ａ】図２の処理の一部を示すイメージ画面である。
【図３Ｂ】図２の処理の他の一部を示すイメージ画面である。
【図３Ｃ】図２の処理のその他の一部を示すイメージ画面である。
【図４】他の実施形態を示すため、他の言葉でも意味説明の中に類義語が含まれるので、同様の検索が可能であることを説明する図表である。
【図５】図１〜図３Ｃの実施形態を示す概念図である。
【図６】その他の実施形態を示す概念図である。
【図７】この発明の第２実施形態を示すブロック図である。
【図８】図７のフローチャート図である。
【図９Ａ】図８の処理の一部を示すイメージ画面である。
【図９Ｂ】図８の処理の他の一部を示すイメージ画面である。
【符号の説明】
【００３５】
１・・・「見出し語」入力処理部    2・・・検索処理部      3・・・類義語検索処理部
4・・・類義語検索処理部      5・・・出力処理部          6・・・辞書データベース
21・・・辞書データベース       26・・・辞書データベース    21・・・「キーワード」入力処理部
22・・・検索処理部        23・・・品詞変換処理部       24・・・品詞変換語検索処理部
25・・・出力処理部           26・・・辞書データベース
【図１】
2005222188.tif 000003
【図２】
2005222188.tif 000004
【図３Ｂ】
2005222188.tif 000005
【図５】
2005222188.tif 000006
【図６】
2005222188.tif 000007
【図７】
2005222188.tif 000008
【図８】
2005222188.tif 000009
【図３Ａ】
2005222188.tif 000010
【図３Ｃ】
2005222188.tif 000011
【図４】
2005222188.tif 000012
【図９Ａ】
2005222188.tif 000013
【図９Ｂ】
2005222188.tif 000014